(57)【特許請求の範囲】
【請求項１】
少なくとも１つの照明用レンズ群および落射照明光源装置を保持する保持部を有する投光管本体と、前記照明用レンズ群を通過した照明光を標本に導くためのミラーユニットと、
前記落射投光管本体に着脱自在なカバーと、該カバーまたは前記落射投光管本体に設けられ前記ミラーユニットを着脱する保持部材と、前記ミラーユニットを切り換えるために前記保持部材を移動可能に操作する保持部材操作手段とを有する落射照明装置において、
前記落射投光管本体内に設けられ、前記標本を落射照明観察する際は、前記落射照明光源装置からの落射照明光の光路を、前記ミラーユニットを動かすことなく任意に遮蔽可能であり、前記カバーを取り外す際は、前記落射照明光源装置からの前記落射照明光の光路を遮蔽するシャッタ部材と、
該シャッタ部材を前記光路上に付勢する付勢手段と、
前記カバーに摺動自在に取り付けられ、前記シャッタ部材の一部と当接することにより前記シャッタ部材を開閉させるシャッタ操作手段とを備えたことを特徴とする落射照明装置。
【請求項２】
少なくとも１つの照明用レンズ群および落射照明光源装置を保持する保持部を有する落射投光管本体と、
前記照明用レンズ群を通過した照明光を上方向から標本に導くためのミラーユニットと、
前記落射投光管本体に着脱自在なカバーと、
該カバーまたは前記落射投光管本体に設けられ前記ミラーユニットを着脱する保持部材と、
前記落射投光管本体内に設けられ前記落射照明光の光路を遮蔽または開放させるシャッタ部材と、
該シャッタ部材を前記光路上に付勢する付勢手段と、
前記シャッタ部材を開閉させるシャッタ操作手段と、
を有する落射照明装置において、
前記シャッタ操作手段は、前記カバーに摺動自在に取り付けられ、前記シャッタ部材の一部と当接することにより前記シャッタ部材を開閉させ、
前記シャッタ部材は、前記標本を落射照明観察する際は、前記落射照明光源装置からの落射照明光の光路を、前記ミラーユニットを動かすことなく任意に遮蔽可能であり、
前記カバーを取り外す際は、前記落射照明光源装置からの落射照明光を、前記付勢手段の付勢力により前記落射照明光の光路を遮蔽することを特徴とする落射照明装置。
【請求項３】
前記シャッタ操作手段は、前記ミラーユニットの装着位置よりも手前側に設けたことを持徴とする請求項１又は２のいずれかに記載の落射照明装置。
【請求項４】
前記シャッタ部材は、１つであることを特徴とする請求項１乃至３のいずれかに記載の落射照明装置。
【発明の詳細な説明】
【０００１】
【発明の属する技術分野】
本発明は、顕微鏡の落射照明装置に係わり、詳しくはシャッタ機構を内蔵した落射照明装置に関する。
【０００２】
【従来の技術】
従来、シャッタ機構を内蔵した落射照明装置に関しては、「落射照明装置」として、実開平６−４７９１８号公報所載の技術（従来技術１）が開示されている。この技術は、顕微鏡の観察時に、不必要な照明光が標本に照射されるのを防ぐためのシャッタの他に、フィルタユニット等の光学素子を変更する際、落射照明装置の前面カバーの着脱に連動するシャッタを設け、このシャッタにより照明光を遮断し、外部、特に検鏡者側に紫外線等を含む光が漏れるのを防いでいる。
【０００３】
また、「落射蛍光顕微鏡」として、特開平６−３３７３５８号公報所載の技術（従来技術２）が開示されている。この技術は、前面カバーの装着状態をセンサにより検知し、落射照明による観察を行う際、標本に照明光が不必要に照射されるのを防ぐために、電気的に開閉するシャッタを駆動して照明光を遮断し、従来技術１と同様の効果を得ている。
【０００４】
さらに、「落射照明装置」として、特開平１０−１４２５１３号公報所載の技術（従来技術３）が開示されている。この技術は、上記従来技術１および２とは異なり、観察用シャッタの操作部を検鏡者側（正面）に設けて、操作性を向上させたものである。
【０００５】
【発明が解決しようとする課題】
しかるに、上記従来技術にはつぎのような問題点があった。すなわち、従来技術１では、前面カバーの着脱に連動するシャッタの他に観察用シャッタを設けなければならず、２つのシャッタを設けることはコスト高になり、さらに、観察用シャッタの操作部が観察者から遠い位置になり、使い難くなっていた。また、従来技術２では、前面カバーの着脱に連動するシャッタと観察用シャッタとを共通にすることができるが、センサやシャッタ駆動用アクチュエータが必要となり、装置が大型化するとともに、電気生理などノイズにより影響を受ける観察には使用することができなかった。さらに、従来技術３では、観察用シャッタの操作性を向上しているだけで、カバー着脱に連動したものではなく、シャッタが開いた状態でミラーユニットを交換するために前面カバーを取り外すと、投光管から外部に、例えば紫外線など人体に影響を及ぼす照明光が外部に漏れることになり、安全性に欠ける面があった。
【０００６】
本発明は、上記従来の問題点に鑑みてなされたもので、本発明の課題は、安全性、操作性に優れ、ノイズ発生のない、安価で小型のシャッタ機構を備えた落射照明装置を提供することである。
【０００７】
【課題を解決するための手段】
上記課題を解決するために、請求項１の発明は、少なくとも１つの照明用レンズ群および落射照明光源装置を保持する保持部を有する投光管本体と、前記照明用レンズ群を通過した照明光を標本に導くためのミラーユニットと、前記投光管本体に着脱自在なカバーと、該カバーまたは前記落射投光管本体に設けられ前記ミラーユニットを着脱する保持部材と、前記ミラーユニットを切り換えるために前記保持部材を移動可能に操作する保持部材操作手段とを有する落射照明装置において、前記投光管本体内に設けられ、前記標本を落射照明観察する際は、前記落射照明光源装置からの落射照明光の光路を、前記ミラーユニットを動かすことなく任意に遮蔽可能であり、前記カバーを取り外す際は、前記落射照明光源装置からの前記落射照明光の光路を遮蔽するシャッタ部材と、該シャッタ部材を前記光路上に付勢する付勢手段と、前記カバーに摺動自在に取り付けられ、前記シャッタ部材の一部と当接することにより前記シャッタ部材を開閉させるシャッタ操作手段とを備えた。
【０００８】
本発明の落射照明装置では、落射投光管本体内に設けられ、前記標本を落射照明観察する際は、前記落射照明光源装置からの落射照明光の光路を、前記ミラーユニットを動かすことなく任意に遮蔽可能であり、前記カバーを取り外す際は、前記落射照明光源装置からの前記落射照明光の光路を遮蔽するシャッタ部材と、該シャッタ部材を前記光路上に付勢する付勢手段と、カバーに摺動自在に嵌合しシャッタ部材を回動させるシャッタ操作手段とを備えたことにより、落射照明観察を行うために照明光を標本へ照射する場合や、標本への無用な照明光の照射を防ぐために照明光を遮断する場合には、カバーに設けたシャッタ操作手段を操作してシャッタ部材を回動し、照明光路を遮蔽または開放する。また、ミラーユニットを変更するために、投光管本体からカバーを取り外す場合には、カバーに設けたシャッタ操作手段がシャッタ部材から外れるので、カバー装着時のシャッタ部材の位置に関係なく、シャッタ部材は付勢手段により照明光路を遮蔽する位置に復帰し、保持される。
【０００９】
請求項２の発明は、少なくとも１つの照明用レンズ群および落射照明光源装置を保持する保持部を有する落射投光管本体と、前記照明用レンズ群を通過した照明光を上方向から標本に導くためのミラーユニットと、前記落射投光管本体に着脱自在なカバーと、該カバーまたは前記落射投光管本体に設けられ前記ミラーユニットを着脱する保持部材と、前記落射投光管本体内に設けられ前記落射照明光の光路を遮蔽または開放させるシャッタ部材と、該シャッタ部材を前記光路上に付勢する付勢手段と、前記シャッタ部材を開閉させるシャッタ操作手段と、を有する落射照明装置において、前記シャッタ操作手段は、前記カバーに摺動自在に取り付けられ、前記シャッタ部材の一部と当接することにより前記シャッタ部材を開閉させ、前記シャッタ部材は、前記標本を落射照明観察する際は、前記落射照明光源装置からの落射照明光の光路を、前記ミラーユニットを動かすことなく任意に遮蔽可能であり、前記カバーを取り外す際は、前記落射照明光源装置からの落射照明光を、前記付勢手段の付勢力により前記落射照明光の光路を遮蔽することを特徴とする。
【００１０】
請求項３の発明は、請求項１又は２のいずれかに記載の落射照明装置において、前記シャッタ操作手段は、前記ミラーユニットの装着位置よりも手前側に設けたことを持徴とする。
【００１１】
請求項４の発明は、請求項１乃至３のいずれかに記載の落射照明装置において、前記シャッタ部材は、１つであることを特徴とする。
【００１２】
【発明の実施の形態】
以下、具体的な実施の形態について説明する。なお、本発明の実施の形態では、正立顕微鏡のうち、対物レンズに対して標本を上下動させることによりピント合わせを行うステージ上下動式顕微鏡をモデルに説明するが、本発明はこれ以外にも、ステージに対して対物レンズを上下動させることによりピント合わせを行うステージ固定式正立顕微鏡や倒立顕微鏡にも適用することができる。また、本発明の実施の形態では、ミラーユニットの変換をターレットを用いた回転体としているが、これに替えて、例えばスライド式のような他の構造を用いた落射照明装置であっても、同様の作用効果を得ることができる。
【００１３】
（実施の形態１）
図１〜図５は実施の形態１を示し、図１は落射照明装置を搭載した顕微鏡の側面図、図２は落射照明装置の投光管本体部の横断面図、図３は落射照明装置の投光管本体部の縦断面図、図４は落射照明装置のカバー部の横断面図、図５は落射照明装置のカバー部の縦断面図である。
【００１４】
まず、落射照明装置を搭載した顕微鏡について説明する。図１において、顕微鏡本体１には、ベース部１ａとアーム部１ｂとがコの字型に形成されている。ベース部１ａとアーム部１ｂとの間には、標本３を保持するステージ２が、ステージホルダ２ａを介して顕微鏡本体１に、観察光路の光軸ｍの方向に移動可能に保持されている。アーム部１ｂの下面には、対物レンズ保持部材５を介して対物レンズ４が保持されている。
【００１５】
一方、アーム部１ｂの上面には、落射照明装置としての落射投光管１００が固定されている。落射投光管１００の右端には、例えば水銀バーナーからなる落射照明用光源を内蔵したランプハウス６が装着され、内部には、少なくとも１つの照明用レンズ群１１が光軸ｎを有する照明光路を形成している。観察光路の光軸ｍと照明光路ｎとの交点には、例えば励起フィルタ７ａ、ダイクロイックミラー７ｂおよび吸収フィルタ７ｃからなる少なくとも１つのミラーユニット７が、落射投光管１００に着脱自在に保持されている。さらに、落射投光管１００の上面には、鏡筒８および接眼レンズ９が固定されている。
【００１６】
上記構成の顕微鏡で落射照明観察を試みる場合について説明する。まず、ランプハウス６内の光源を点灯し、光源から投射される照明光は落射投光管１００を通り、ミラーユニット７により反射され、対物レンズ保持部材５、対物レンズ４を通過してステージ２上に保持された標本３に導かれる。照明光の反射または照明光のエネルギーにより標本３から発せられた観察光は、対物レンズ４、対物レンズ保持部材５、ミラーユニット７、落射投光管１００を通過して鏡筒８に導かれ、接眼レンズ９を通過して観察可能となる。このとき、対物レンズ４の焦点位置と標本３の表面とが一致するように、ステージ２を光軸ｍの方向に上下動させ、接眼レンズ９を通して観察される像のピント合わせを行う。
【００１７】
つぎに、落射照明装置について説明する。落射照明装置としての落射投光管１００は、投光管本体部１００Ａとカバー部１００Ｂとから構成されており、投光管本体部１００Ａは図２および図３、カバー部１００Ｂは図４および図５によって図示されている。まず、投光管本体部１００Ａから説明する。図２および図３において、投光管本体１０の右端には、図示しない照明光源装置保持部が設けられ、ランプハウス６（図１参照）が取着され、照明光を左方に投射することができる。照明光の光路の周壁１０ａは筒状に形成され、外部に光漏れしないようになっている。照明光の光路の光軸ｎ上には、既に説明したように、少なくとも１つの照明用レンズ群１１が配設されている。投光管本体１０の左端は、半円筒状に形成され、カバ−３０（図４および図５参照）が着脱されるようになっている。
【００１８】
投光管本体１０の左端の周壁１０ｂには、照明光の通過が可能なように、照明光の光軸ｎ上に横開口１２が穿設されている。投光管本体１０の下壁１０ｃには、照明光および観察光の通過が可能なように、観察光の光軸ｍ上に下開口１３が穿設されている。また、上壁１０ｄにも、観察光の光軸ｍ上に上開口１５が穿設され、観察光が通過できるようになっている。下壁１０ｃの下面には、下開口１３を跨いで、顕微鏡本体１のアーム部１ｂ（図１参照）と連結固定するためのオスアリ１４が形成されている。上壁１０ｄの上面には、鏡筒８（図１参照）を取着するためのメスアリ１６が形成されている。また、上壁１０ｄの下面には、カバー３０に取着されたスライドオスアリ３１（図４および図５参照）が嵌合するためのスライドメスアリ１７が形成されており、その側面には固定ネジ１８が螺合し、スライドオスアリ３１を固定できるようになっている。
【００１９】
投光管本体１０の下壁１０ｃの上面には、シャッタ部材としてのシャッタ２０が配設され、下壁１０ｃに立設されたシャッタ軸２１を中心に回動できるようになっている。シャッタ２０の先端には、円弧状の遮光壁２０ａが立設され、シャッタ２０の回動により横開口１２を遮蔽または開放することができる。また、シャッタ２０の後端には、当接部２０ｂが延設され、後述するリンク４０の当て付け部４０ａ（図４および図５参照）が当接し、シャッタ２０を回動させる。また、シャッタ軸２１には、付勢手段としてのシャッタバネ２２が巻装されており、一端は下壁１０ｃに立設されたバネ軸２３に係合し、他端はシャッタ２０に穿設されたバネ孔２０ｃに係合し、常にシャッタ２０の遮光壁２０ａが、横開口１２を遮蔽する状態になる方向に付勢している。
【００２０】
つぎに、カバー部１００Ｂについて説明する。図４および図５において、カバー３０は、半円筒状に形成されており、その上壁３０ａの下面には、スライドオスアリ３１が取着され、投光管本体１０のスライドメスアリ１７と嵌合し、投光管本体１０とカバー３０とが結合できるようになっている。スライドオスアリ３１の先端には、回転軸３２が垂設され、回転軸３２には、保持部材としてのターレット３５が回転自在に取着されている。ターレット３５には、少なくとも１つのミラーユニット７（本実施の形態では４個）を着脱固定可能な固定オスアリ３６と、ミラーユニット７を透過した観察光を通過するための開口部３７とが設けられている。ミラーユニット７には、ターレット３５の固定オスアリ３６に嵌合して固定するための固定メスアリ７ｄが形成されている。ミラーユニット７の内部には、例えば、既に説明した励起フィルタ７ａ、ダイクロイックミラー７ｂおよび吸収フィルタ７ｃが内蔵されている。カバー３０の周壁３０ｂの上部には、ターレット３５の外周の一部が露出するように、切欠き孔３３が穿設されている。
【００２１】
カバー３０の下壁３０ｃの上面には、リンク４０が配設され、下壁３０ｃに立設された回転軸４１に回動自在に装着されている。リンク４０の先端には円弧状の当て付け部４０ａが形成され、カバー３０が投光管本体１０に結合されたとき、シャッタ２０の当接部２０ｂに当接できるように構成されている。リンク４の後端には溝４０ｂが形成されており、カバー３０の周壁３０ｂの下部に穿設された摺動溝３４に摺動自在に嵌合する操作手段としての操作ツマミ４５の先端に固着されたピン４６が、リンク４０の溝４０ｂに係合している。操作ツマミ４５をカバー３０の周壁３０ｂに沿って移動させると、ピン４６がリンク４０を回動させるようになっている。操作ツマミ４５には凹４５ａ、４５ｂが凹設され、操作ツマミ４５を図４の実線の位置に移動したときには、凹４５ａがカバー３０の周壁３０ｂに凸設された凸３０ｄに係合し、２点鎖線の位置に移動したときには、凹４５ｂが凸３０ｅに係合し、それぞれズレを防止している。
【００２２】
つぎに、上記構成の落射照明装置の作用について説明する。落射観察をする場合、カバー部１００Ｂのターレット３５に観察に必要なミラーユニット７を複数個装着し、投光管本体部１００Ａに合体させる。カバー３０の切欠き部３３から露出しているターレット３５を回転させ、観察光の光軸ｍ上に、当面の観察に必要なミラーユニット７を選択し移動させる。操作ツマミ４５を図４の矢印Ｂ方向へ凹４５ｂが凸３０ｅに係合するまで移動させると、リンク４０の当て付け部４０ａがシャッタ２０の当接部２０ｂを図２の矢印Ｄ方向へ回動させ、遮光壁２０ａが横開口１２を開放し、照明用レンズ群１１を透過した照明光がミラーユニット７内に導かれ、観察が可能となる。
【００２３】
例えば、蛍光観察を行う場合には、標本３に対するダメージ（褪色）を最小限に止めるため、対物レンズ４の変換や、ミラーユニット７の変換などの観察以外の時間には、標本３に照明光が照射しないように、操作ツマミ４５を図４の矢印Ａ方向へ凹４５ａが凸３０ｄに係合するまで移動させると、リンク４０の当て付け部４０ａがシャッタ２０の当接部２０ｂから離れ、シャッタ２０はシャッタバネ２１の弾発力により、図２の矢印Ｃ方向へ回動し、遮光壁２０ａが横開口１２を遮蔽し、照明光を遮断する。
【００２４】
また、観察状態でミラーユニット７を交換するために、カバー部１００Ｂを投光管本体部１００Ａから取り外す場合には、リンク４０の当て付け部４０ａもシャッタ２０の当接部２０ｂから離れるため、シャッタ２０はシャッタバネ２２の弾発力により図２の矢印Ｃ方向へ回動し、遮光壁２０ａが横開口１２を遮蔽し、照明光を遮断する。すなわち、操作ツマミ４５がどのような位置にあったとしても、カバー３０を投光管本体１０から取り外すと、照明光はシャッタ２０により遮断され、カバー３０を装着すると、取り外す前の状態に戻ることになる。
【００２５】
本実施の形態によれば、観察時の照明光の遮断に加え、ミラーユニットを交換するためにカバーを取り外した場合でも照明光が遮断され、投光管外部に照明光が漏れることのない安全な落射照明装置を提供することができる。また、シャッタ機構は、上述のように１つのシャッタ部材で２つの機能を保有することができ、安価な落射照明装置にすることができる。さらに、検鏡者が容易に認識可能なカバー部に操作ツマミを配設したことにより、暗室での使用時にも操作ツマミを間違えることなく、確実に操作することができる。
【００２６】
（実施の形態２）
図６〜図９は実施の形態２を示し、図６は落射照明装置の投光管本体部の横断面図、図７は落射照明装置の投光管本体部の縦断面図、図８は落射照明装置のカバー部の横断面図、図９は落射照明装置のカバー部の縦断面図である。本実施の形態では、実施の形態１と同一の構造部分については同一の符号を付し説明を省略する。また、本落射照明装置を搭載する顕微鏡は、実施の形態１と同様なので図と説明を省略する。
【００２７】
落射照明装置としての落射投光管２００は、投光管本体部２００Ａとカバー部２００Ｂとから構成されており、投光管本体部２００Ａは図６および図７、カバー部２００Ｂは図８および図９によって図示されている。まず、投光管本体部２００Ａから説明する。図６および図７において、投光管本体５０の右端には、図示しない照明光源装置保持部が設けられ、ランプハウス６（図１参照）が取着され、照明光を左方に投射することができる。照明光の光路の周壁５０ａは円筒状に形成され、外部に光漏れしないようになっている。照明光の光路の光軸ｎ上には、少なくとも１つの照明用レンズ群５１が配設されている。投光管本体５０の左端は、半円筒状に形成され、カバ−７０（図８および図９参照）が着脱されるようになっている。
【００２８】
投光管本体５０の左端の周壁５０ｂには、照明光の通過が可能なように、照明光の光軸ｎ上に横開口５２が穿設されている。投光管本体５０の下壁５０ｃには、照明光および観察光の通過が可能なように、観察光の光軸ｍ上に下開口５３が穿設されている。また、上壁５０ｄにも、観察光の光軸ｍ上に上開口５５が穿設され、観察光が通過できるようになっている。上壁５０ｄの上面には、鏡筒８（図１参照）を取着するためのメスアリ５６が形成されている。また、下壁５０ｃの上面および上壁５０ｄの下面には、カバー７０に凸設された突起部７１（図８および図９参照）が係合するためのカバー固定溝５７がそれぞれ形成され、投光管本体５０とカバー７０とが結合できるようになっている。
【００２９】
投光管本体５０の下壁５０ｃの上面には、シャッタ部材としてのシャッタ６０が配設され、下壁５０ｃに立設されたシャッタ軸６１を中心に回動できるようになっている。シャッタ６０の先端には、円弧状の遮光壁６０ａが立設され、シャッタ６０の回動により横開口１２を遮蔽または開放することができる。また、シャッタ６０の後端には、当接部６０ｂが延設され、後述する操作ツマミ８０の当て付け部８１（図８および図９参照）が当接し、シャッタ６０を回動させる。また、シャッタ軸６１には、付勢手段としてのシャッタバネ６２が巻装されており、一端は下壁５０ｃに立設されたバネ軸６３に係合し、他端はシャッタ６０に穿設されたバネ孔６０ｃに係合し、常にシャッタ６０の遮光壁６０ａが、横開口５２を遮蔽する状態になる方向に付勢している。
【００３０】
また、上壁５０ｄの下面には、回転軸５８が垂設され、回転軸５８には、保持部材としてのターレット６５が回転自在に取着されている。ターレット６５の下面には、少なくとも１つのミラーユニット７Ａ（本実施の形態では４個）を着脱固定可能な固定オスアリ６６と、ミラーユニット７Ａを透過した観察光を通過するための開口部６７とが設けられている。ミラーユニット７Ａには、ターレット６５の固定オスアリ６６に嵌合して固定するための固定メスアリ７ｅが形成されている。ミラーユニット７Ａの内部には、例えば、既に説明した励起フィルタ７ａ、ダイクロイックミラー７ｂおよび吸収フィルタ７ｃが内蔵されている。
【００３１】
つぎに、カバー部２００Ｂについて説明する。図８および図９において、カバー７０は、角筒状に形成されており、その上壁７０ａおよび下壁７０ｂの端面には、それぞれ突起部７１が形成され、投光管本体５０のカバー固定溝５７と係合し、投光管本体５０とカバー７０とが結合できるようになっている。カバー７０の側壁７０ｃの上部には、ターレット６５の外周の一部が露出するように、露出窓７２が穿設されている。
【００３２】
カバー７０の側壁７０ｃの下部には、摺動溝７３が穿設され、操作手段としての操作ツマミ８０が水平方向に摺動自在に嵌装している。操作ツマミ８０には、当て付け部８１が突設されており、カバー７０が投光管本体５０に結合されたとき、シャッタ６０の当接部６０ｂに当接できるように構成されている。また、当て付け部８１の上下面には、側壁７０ｃに沿って操作ツマミ８０が摺動できるように、それぞれ突起８４が凸設されている。さらに、操作ツマミ８０には、凹８２、８３が凹設され、操作ツマミ８０を図８の実線の位置に移動したときには、凹８２がカバー７０の側壁７０ｃに凸設された凸７４に係合し、２点鎖線の位置に移動したときには、凹８３が凸７５に係合し、それぞれズレを防止している。
【００３３】
つぎに、上記構成の落射照明装置の作用について説明する。落射観察をする場合、投光管本体部２００Ａのターレット６５に観察に必要なミラーユニット７Ａを複数個装着した後、カバー部２００Ｂを合体させる。カバー７０の露出窓７２から露出しているターレット６５を回転させ、観察光の光軸ｍ上に、当面の観察に必要なミラーユニット７Ａを選択し移動させる。操作ツマミ８０を図８の矢印Ｂ方向へ凹８３が凸７５に係合するまで移動させると、操作ツマミ８０の当て付け部８１がシャッタ６０の当接部６０ｂを図６の矢印Ｄ方向へ回動させ、遮光壁６０ａが横開口５２を開放し、照明レンズ群５１を透過した照明光がミラーユニット７Ａ内に導かれ、観察が可能となる。
【００３４】
例えば、蛍光観察を行う場合には、標本３に対するダメージ（褪色）を最小限に止めるため、対物レンズ４の変換や、ミラーユニット７Ａの変換などの観察以外の時間には、標本３に照明光は照射しないように、操作ツマミ８０を図８の矢印Ａ方向へ凹８２が凸７４に係合するまで移動させると、操作ツマミ８０の当て付け部８１がシャッタ６０の当接部６０ｂから離れ、シャッタ６０はシャッタバネ６２の弾発力により、図６の矢印Ｃ方向へ回動し、遮光壁６０ａが横開口５２を遮蔽し、照明光を遮断する。
【００３５】
また、観察状態でミラーユニット７Ａを交換するために、カバー部２００Ｂを投光管本体部２００Ａから取り外す場合には、操作ツマミ８０の当て付け部８１もシャッタ６０の当接部６０ｂから離れるため、シャッタ６０はシャッタバネ６２の弾発力により図６の矢印Ｃ方向へ回動し、遮光壁６０ａが横開口５２を遮蔽し、照明光を遮断する。すなわち、操作ツマミ８０がどのような位置にあったとしても、カバー７０を投光管本体５０から取り外すと、照明光はシャッタ６０により遮断され、カバー３０を装着すると、取り外す前の状態に戻ることになる。
【００３６】
本実施の形態によれば、実施の形態１と同様の効果に加え、シャッタの操作手段にリンク機構を必要としないため、落射照明装置を安価に構成することができる。
【００３７】
【発明の効果】
本発明によれば、観察時の照明光の遮断に加え、ミラーユニットを交換するためにカバーを取り外した場合でも照明光が遮断され、安全性、操作性に優れ、ノイズ発生のない、安価で小型のシャッタ機構を備えた落射照明装置を提供することができる。
【図面の簡単な説明】
【図１】実施の形態１の落射照明装置を搭載した顕微鏡の側面図である。
【図２】実施の形態１の落射照明装置の投光管本体部の横断面図である。
【図３】実施の形態１の落射照明装置の投光管本体部の縦断面図である。
【図４】実施の形態１の落射照明装置のカバー部の横断面図である。
【図５】実施の形態１の落射照明装置のカバー部の縦断面図である。
【図６】実施の形態２の落射照明装置の投光管本体部の横断面図である。
【図７】実施の形態２の落射照明装置の投光管本体部の縦断面図である。
【図８】実施の形態２の落射照明装置のカバー部の横断面図である。
【図９】実施の形態２の落射照明装置のカバー部の縦断面図である。
【符号の説明】
１０ 投光管本体
１１ 照明用レンズ群
２０ シャッタ
２２ シャッタバネ
【図１】
0004477158.tif 000002
【図２】
0004477158.tif 000003
【図３】
0004477158.tif 000004
【図４】
0004477158.tif 000005
【図５】
0004477158.tif 000006
【図６】
0004477158.tif 000007
【図７】
0004477158.tif 000008
【図８】
0004477158.tif 000009
【図９】
0004477158.tif 000010